(57)【要約】  【課題】画像再生装置で複数の縮小画像を再生する画面の無駄なスペースを削減する。  【解決手段】縮小画像表示を行う複数コマの画像に横長画像および縦長画像が混在するとき、画像データファイルに含まれる撮影時の姿勢情報に応じて、表示回路６（図１）が縦長再生画像Ｖ１〜Ｖ４を回転させる処理を行う。したがって、カメラを縦位置に構えて撮影した画像を自動的に正しい向き正しい向きで表示させることができる。縮小画像表示を行う複数コマの画像に横長画像および縦長画像が混在するとき、表示回路６（図１）は、回転処理後の縦長再生画像Ｖ１〜Ｖ３の縦辺の長さが回転処理が不要の横長再生画像Ｈ１の縦辺の長さに対応するように縮小画像データを作成する。  【選択図】図７
2005094114.tif 000002
【特許請求の範囲】
【請求項１】
電子画像データを用いて縮小画像を生成する縮小画像生成手段と、
前記縮小画像生成手段によって生成された複数の縮小画像を所定の配列で並べて画像再生領域に画像再生する画像再生手段と、
前記複数の縮小画像のうち少なくとも１つの縮小画像を回転させる画像回転手段とを備え、
前記縮小画像生成手段は、（１）前記画像回転手段による回転後の縮小画像の縦辺の長さと、前記回転をしない縮小画像の縦辺の長さとが略一致し、（２）前記回転後の縮小画像の縦辺の長さと所定の表示代との和の整数倍が前記画像再生領域の縦辺の長さと略一致し、（３）前記回転後の縮小画像の横辺の長さと所定の表示代の和との整数倍が前記画像再生領域の横辺の長さと略一致するように、前記縮小画像の大きさをそれぞれ決定することを特徴とする画像再生装置。
【請求項２】
請求項１に記載の画像再生装置において、
前記縮小画像生成手段はさらに、前記回転をしない縮小画像の横辺の長さと所定の表示代との和の整数倍が前記画像再生領域の横辺の長さと略一致するように、前記縮小画像の大きさを決定することを特徴とする画像再生装置。
【請求項３】
請求項１または２に記載の画像再生装置において、
前記画像再生手段は、前記回転後の縮小画像および前記回転をしない縮小画像をそれぞれまとめて配列することを特徴とする画像再生装置。
【請求項４】
請求項３に記載の画像再生装置において、
前記画像再生手段は、前記画像再生領域に収まらない縮小画像を次ページの画像再生領域に配列し、ページ切換え信号に応じて前記次ページの縮小画像を画像再生することを特徴とする画像再生装置。
【請求項５】
請求項１〜４のいずれかに記載の画像再生装置において、
前記画像再生領域および前記回転しない縮小画像は、それぞれ横辺の長さ＞縦辺の長さであり、前記回転後の縮小画像は、縦辺の長さ＞横辺の長さであることを特徴とする画像再生装置。
【請求項６】
電子画像データを用いて縮小画像を生成する縮小画像生成処理と、
前記縮小画像生成処理によって生成された複数の縮小画像を所定の配列で並べて画像再生領域に画像再生する画像再生処理と、
前記複数の縮小画像のうち少なくとも１つの縮小画像を回転させる画像回転処理とをコンピュータに実行させる画像再生プログラムにおいて、
前記縮小画像生成処理は、（１）前記画像回転処理による回転後の縮小画像の縦辺の長さと、前記回転をしない縮小画像の縦辺の長さとが略一致し、（２）前記回転後の縮小画像の縦辺の長さと所定の表示代との和の整数倍が前記画像再生領域の縦辺の長さと略一致し、（３）前記回転後の縮小画像の横辺の長さと所定の表示代の和との整数倍が前記画像再生領域の横辺の長さと略一致するように、前記縮小画像の大きさをそれぞれ決定することを特徴とする画像再生プログラム。
【発明の詳細な説明】
【技術分野】
【０００１】
本発明は、電子データによる画像を再生する再生装置、および画像再生プログラムに関する。
【背景技術】
【０００２】
撮影時におけるデジタルカメラの傾きを示す回転情報を検出し、検出した回転情報を撮影した画像信号とともに記録媒体に記録するとともに、記録媒体に記録された画像信号を再生する場合には、回転情報に基づいて画像を正立方向に回転処理して表示する技術が知られている（特許文献１参照）。特許文献１には、１枚の印刷用紙に複数の縮小画像を印刷出力する「サムネイル出力」も開示されている。
【０００３】
【特許文献１】特開平１１−９８４０６号公報
【発明の開示】
【発明が解決しようとする課題】
【０００４】
特許文献１の方法では、複数の縮小画像を印刷もしくは表示する際に正立でない画像を回転処理するだけなので、回転情報が異なる画像が混在する場合に印刷面もしくは表示画面（領域）に無駄なスペースができる。
【課題を解決するための手段】
【０００５】
本発明による画像再生装置は、電子画像データを用いて縮小画像を生成する縮小画像生成手段と、縮小画像生成手段によって生成された複数の縮小画像を所定の配列で並べて画像再生領域に画像再生する画像再生手段と、複数の縮小画像のうち少なくとも１つの縮小画像を回転させる画像回転手段とを備え、縮小画像生成手段は、（１）画像回転手段による回転後の縮小画像の縦辺の長さと、回転をしない縮小画像の縦辺の長さとが略一致し、（２）回転後の縮小画像の縦辺の長さと所定の表示代との和の整数倍が画像再生領域の縦辺の長さと略一致し、（３）回転後の縮小画像の横辺の長さと所定の表示代の和との整数倍が画像再生領域の横辺の長さと略一致するように、縮小画像の大きさをそれぞれ決定することを特徴とする。
縮小画像生成手段はさらに、回転をしない縮小画像の横辺の長さと所定の表示代との和の整数倍が画像再生領域の横辺の長さと略一致するように、縮小画像の大きさを決定することもできる。
画像再生手段は、回転後の縮小画像および回転をしない縮小画像をそれぞれまとめて配列することもできる。この場合の画像再生手段は、画像再生領域に収まらない縮小画像を次ページの画像再生領域に配列し、ページ切換え信号に応じて次ページの縮小画像を画像再生することもできる。
画像再生領域および回転しない縮小画像は、それぞれ横辺の長さ＞縦辺の長さであり、回転後の縮小画像は、縦辺の長さ＞横辺の長さである。
本発明は、電子画像データを用いて縮小画像を生成する縮小画像生成処理と、縮小画像生成処理によって生成された複数の縮小画像を所定の配列で並べて画像再生領域に画像再生する画像再生処理と、複数の縮小画像のうち少なくとも１つの縮小画像を回転させる画像回転処理とをコンピュータに実行させる画像再生プログラムに適用される。そして、縮小画像生成処理は、（１）画像回転処理による回転後の縮小画像の縦辺の長さと、回転をしない縮小画像の縦辺の長さとが略一致し、（２）回転後の縮小画像の縦辺の長さと所定の表示代との和の整数倍が画像再生領域の縦辺の長さと略一致し、（３）回転後の縮小画像の横辺の長さと所定の表示代の和との整数倍が画像再生領域の横辺の長さと略一致するように、縮小画像の大きさをそれぞれ決定することを特徴とする。
【発明の効果】
【０００６】
本発明によれば、複数の縮小画像を再生する領域の無駄なスペースを削減することができる。
【発明を実施するための最良の形態】
【０００７】
以下、図面を参照して本発明を実施するための最良の形態について説明する。
図１は、本発明の一実施の形態による電子スチルカメラの要部構成を説明するブロック図である。電子スチルカメラは、撮像素子１と、姿勢センサ２と、操作部材３と、信号処理部４と、表示回路６とを含み、メモリカードなどの記録媒体５を着脱可能に構成されている。電子スチルカメラの動作モードには、撮影および撮影した画像データを記録媒体５に記録する撮影モードと、記録媒体５に記録されている画像データによる画像を表示回路６で再生表示する再生モードとが含まれている。
【０００８】
撮影モードにおいて、撮影レンズ（不図示）を通過した被写体光は、撮像素子１の撮像面上に結像される。撮像素子１は、撮像信号を信号処理部４へ送出する。信号処理部４は、アナログ撮像信号をディジタルデータに変換した上で、ホワイトバランス調整や画像圧縮処理など所定の画像処理を行う。
【０００９】
姿勢センサ２は、撮影時のカメラの姿勢（横位置および縦位置）を検出し、検出信号を処理部４へ出力する。姿勢検出信号は、たとえば、３５ミリ判の場合に撮影画面が横長になる「正位置」、撮影画面が縦長であって撮影者の右グリップが上になる「右上」、撮影画面が縦長であって撮影者の左グリップが上になる「左上」、および、撮影画面が横長であって天地逆さである「逆位置」のいずれかを示すように構成されている。
【００１０】
信号処理部４は、上述した画像圧縮処理後の画像データを所定のフォーマットに変換し、所定のファイル名を付与して記録媒体５へ記録する。このとき、信号処理部４は、姿勢センサ２による姿勢情報を当該ファイルに含めて記録する。
【００１１】
再生モード時において、信号処理部４は、操作部材３から入力されている操作信号が示すファイル名のデータを記録媒体５から読み出して表示回路６へ送るとともに、不図示のディスプレイの表示解像度に応じた表示データを作成するように指令を送る。表示回路６は、信号処理部４から送出されたデータを用いて表示データを作成するとき、画像データとともに記録されている姿勢情報に基づいて、再生画像を表示する向きを回転するための処理を行う。
【００１２】
姿勢情報が「右上」を示す場合、表示回路６は、再生画像を表示する向きを反時計回りに９０度回転させる。姿勢情報が「左上」を示す場合、表示回路６は、再生画像を表示する向きを反計回りに９０度回転させる。姿勢情報が「逆位置」を示す場合、表示回路６は、再生画像を表示する向きを時計回りもしくは反時計回りに１８０度回転させる。なお、姿勢情報が「正位置」を示す場合、表示回路６は、再生画像の表示の向きを回転させない。
【００１３】
表示回路６が作成した表示データを不図示のディスプレイに送出することにより、ディスプレイの画面に再生画像が正しい向きに表示される。なお、再生表示する画像データのファイル名は、操作者が操作部材３を操作することによって指定する。
【００１４】
図２は、姿勢情報が「正位置」の場合の再生画像の表示例を示す図である。表示回路６は、ディスプレイ画面の大きさに応じた縮小画像を作成して表示を行う。図３は、姿勢情報が「右上」もしくは「左上」の場合の再生画像の表示例を示す図である。表示回路６は、回転処理後の再生画像の縦辺の長さがディスプレイ画面の縦辺の長さに対応するように縮小画像データを作成し、表示を行う。ここで、縮小画像とは、本画像データに対してデータサイズを小さくした画像のことをいう。
【００１５】
本発明は、上述した電子スチルカメラで複数の縮小画像をディスプレイに表示させることに特徴を有する。
【００１６】
再生モード時において、たとえば、６コマの縮小画像を表示させる場合を例に説明する。図４は、複数の縮小画像表示時に信号処理部４で行われる処理の流れを示すフローチャートである。図４による処理は、操作部材３から表示実行を示す操作信号が入力されると起動する。
【００１７】
図４のステップＳ１１において、信号処理部４は、縦位置コマ数が６か否かを判定する。信号処理部４は、操作部材３から入力されている操作信号が示す６つのファイル名のデータ、すなわち、６コマのデータを記録媒体５から読み出し、これらの姿勢情報が全て「右上」もしくは「左上」であるとき、ステップＳ１１を肯定判定してステップＳ１２へ進む。一方、信号処理部４は、６コマのデータのうち少なくとも１つの姿勢情報が「正位置」もしくは「逆位置」であるとき、ステップＳ１１を否定判定してステップＳ１３へ進む。
【００１８】
ステップＳ１２において、信号処理部４は、記録媒体５から読み出した６コマのデータを表示回路６へ送るとともに、図５に示す再生表示を行うように表示回路６へ指令を送り、図４による処理を終了する。これにより、表示回路６は、回転処理後の６つの縦長再生画像を横方向に３コマ、縦方向に２コマ並べて配列する表示を行う。縮小画像の表示の大きさは、縮小画像に所定の表示代を加えて６コマ並べた場合の全表示の大きさがディスプレイの表示領域に対応するように作成する。図５において、黒い部分は表示代を示し、符号Ｖ１、Ｖ２、…、Ｖ６は、６コマの縦長縮小画像を示す。実際の表示では、符号Ｖ１〜Ｖ６の代わりに当該縮小画像に対応するファイル番号などを縮小画像の端（たとえば、右下）に表示する。
【００１９】
ステップＳ１３において、信号処理部４は、縦位置コマ数が５か否かを判定する。信号処理部４は、記録媒体５から読み出した６コマのデータの姿勢情報のうち５つが「右上」もしくは「左上」であるとき、ステップＳ１３を肯定判定してステップＳ１４へ進む。一方、信号処理部４は、６コマのデータのうち少なくとも２つの姿勢情報が「正位置」もしくは「逆位置」であるとき、ステップＳ１３を否定判定してステップＳ１５へ進む。
【００２０】
ステップＳ１４において、信号処理部４は、記録媒体５から読み出した６コマのデータを表示回路６へ送るとともに、図６に示す再生表示を行うように表示回路６へ指令を送り、図４による処理を終了する。これにより、表示回路６は、回転処理後の５つの縦長再生画像を並べて配列する表示を行う。縮小画像の表示の大きさは、図５の場合と同様である。図６の例では、記録媒体５から読み出した６コマのデータのうち、横長画像である１コマについては表示しない。
【００２１】
信号処理部４は、図６の再生表示をしている状態で操作部材３から次ページの表示を指示する操作信号が入力されると、残り１コマ分の横長縮小画像を再生表示するようにページ切換指令を表示回路６へ送る。これにより、表示回路６が次ページに横長縮小画像を表示する。
【００２２】
ステップＳ１５において、信号処理部４は、縦位置コマ数が４か否かを判定する。信号処理部４は、記録媒体５から読み出した６コマのデータの姿勢情報のうち４つが「右上」もしくは「左上」であるとき、ステップＳ１５を肯定判定してステップＳ１６へ進む。一方、信号処理部４は、６コマのデータのうち少なくとも３つの姿勢情報が「正位置」もしくは「逆位置」であるとき、ステップＳ１５を否定判定してステップＳ１７へ進む。
【００２３】
ステップＳ１６において、信号処理部４は、記録媒体５から読み出した６コマのデータを表示回路６へ送るとともに、図７に示す再生表示を行うように表示回路６へ指令を送り、図４による処理を終了する。これにより、表示回路６は、回転処理後の４つの縦長再生画像Ｖ１〜Ｖ４と、１つの横長再生画像Ｈ１とを並べて配列する表示を行う。縦長縮小画像のＶ１〜Ｖ４の表示の大きさは、図５の場合と同様である。
【００２４】
横長縮小画像Ｈ１の表示の大きさは、図８に示す縮小画像と同様とする。図８は、４つの横長再生画像を縦横方向にそれぞれ２コマずつ並べて配列し、再生表示した図である。縮小画像の表示の大きさは、縮小画像に所定の表示代を加えて４コマ並べた場合の全表示の大きさがディスプレイの表示領域に対応するように作成する。図８において、黒い部分は表示代を示し、符号Ｈ１、Ｈ２、…、Ｈ４は、４コマの横長縮小画像を示す符号である。実際の表示では、符号Ｈ１〜Ｈ４の代わりに当該縮小画像に対応するファイル番号などを縮小画像の端（たとえば、右下）に表示する。
【００２５】
図７において、記録媒体５から読み出した６コマのデータの中で、横長画像である２コマのうち１コマについては表示しない。横長再生画像Ｈ１は、横長画像である２コマのうち、たとえば、ファイル番号が小さい方のコマに対応する横長縮小画像である。
【００２６】
信号処理部４は、図７の再生表示をしている状態で操作部材３から次ページの表示を指示する操作信号が入力されると、残り１コマ分の横長縮小画像を再生表示するようにページ切換指令を表示回路６へ送る。これにより、表示回路６が次ページに横長縮小画像を表示する。
【００２７】
ステップＳ１７において、信号処理部４は、縦位置コマ数が３か否かを判定する。信号処理部４は、記録媒体５から読み出した６コマのデータの姿勢情報のうち３つが「右上」もしくは「左上」であるとき、ステップＳ１７を肯定判定してステップＳ１８へ進む。一方、信号処理部４は、６コマのデータのうち少なくとも４つの姿勢情報が「正位置」もしくは「逆位置」であるとき、ステップＳ１７を否定判定してステップＳ１９へ進む。
【００２８】
ステップＳ１８において、信号処理部４は、記録媒体５から読み出した６コマのデータを表示回路６へ送るとともに、図９に示す再生表示を行うように表示回路６へ指令を送り、図４による処理を終了する。これにより、表示回路６は、回転処理後の３つの縦長再生画像Ｖ１〜Ｖ３と、２つの横長再生画像Ｈ１、Ｈ２とを並べて配列する表示を行う。縦長縮小画像のＶ１〜Ｖ３の表示の大きさは、図５の場合と同様である。横長縮小画像のＨ１、Ｈ２の表示の大きさは、図８の場合と同様である。
【００２９】
図９において、記録媒体５から読み出した６コマのデータの中で、横長画像である３コマのうち１コマについては表示しない。横長再生画像Ｈ１、Ｈ２は、横長画像である３コマのうち、たとえば、ファイル番号が小さい方のコマに対応する横長縮小画像である。
【００３０】
信号処理部４は、図９の再生表示をしている状態で操作部材３から次ページの表示を指示する操作信号が入力されると、残り１コマ分の横長縮小画像を再生表示するようにページ切換指令を表示回路６へ送る。これにより、表示回路６が次ページに横長縮小画像を表示する。
【００３１】
ステップＳ１９において、信号処理部４は、縦位置コマ数が２か否かを判定する。信号処理部４は、記録媒体５から読み出した６コマのデータの姿勢情報のうち２つが「右上」もしくは「左上」であるとき、ステップＳ１９を肯定判定してステップＳ２０へ進む。一方、信号処理部４は、６コマのデータのうち少なくとも５つの姿勢情報が「正位置」もしくは「逆位置」であるとき、ステップＳ１９を否定判定してステップＳ２１へ進む。
【００３２】
ステップＳ２０において、信号処理部４は、記録媒体５から読み出した６コマのデータを表示回路６へ送るとともに、図１０に示す再生表示を行うように表示回路６へ指令を送り、図４による処理を終了する。これにより、表示回路６は、回転処理後の２つの縦長再生画像Ｖ１、Ｖ２と、２つの横長再生画像Ｈ１、Ｈ２とを並べて配列する表示を行う。縦長縮小画像のＶ１、Ｖ２の表示の大きさは、図５の場合と同様である。横長縮小画像のＨ１、Ｈ２の表示の大きさは、図８の場合と同様である。
【００３３】
図１０において、記録媒体５から読み出した６コマのデータの中で、横長画像である４コマのうち２コマについては表示しない。横長再生画像Ｈ１、Ｈ２は、横長画像である４コマのうち、たとえば、ファイル番号が小さい方のコマに対応する横長縮小画像である。
【００３４】
信号処理部４は、図１０の再生表示をしている状態で操作部材３から次ページの表示を指示する操作信号が入力されると、残り２コマ分の横長縮小画像を再生表示するようにページ切換指令を表示回路６へ送る。これにより、表示回路６が次ページに横長縮小画像を表示する。
【００３５】
ステップＳ２１において、信号処理部４は、縦位置コマ数が１か否かを判定する。信号処理部４は、記録媒体５から読み出した６コマのデータの姿勢情報のうち１つが「右上」もしくは「左上」であるとき、ステップＳ２１を肯定判定してステップＳ２２へ進む。一方、信号処理部４は、６コマ全てのデータの姿勢情報が「正位置」もしくは「逆位置」であるとき、ステップＳ２１を否定判定してステップＳ２３へ進む。
【００３６】
ステップＳ２２において、信号処理部４は、記録媒体５から読み出した６コマのデータを表示回路６へ送るとともに、図１１に示す再生表示を行うように表示回路６へ指令を送り、図４による処理を終了する。これにより、表示回路６は、回転処理後の１つの縦長再生画像Ｖ１と、３つの横長再生画像Ｈ１〜Ｈ３とを並べて配列する表示を行う。縦長縮小画像のＶ１の表示の大きさは、図５の場合と同様である。横長縮小画像のＨ１〜Ｈ３の表示の大きさは、図８の場合と同様である。
【００３７】
図１１において、記録媒体５から読み出した６コマのデータの中で、横長画像である５コマのうち２コマについては表示しない。横長再生画像Ｈ１〜Ｈ３は、横長画像である５コマのうち、たとえば、ファイル番号が小さい方のコマに対応する横長縮小画像である。
【００３８】
信号処理部４は、図１１の再生表示をしている状態で操作部材３から次ページの表示を指示する操作信号が入力されると、残り２コマ分の横長縮小画像を再生表示するようにページ切換指令を表示回路６へ送る。これにより、表示回路６が次ページに横長縮小画像を表示する。
【００３９】
ステップＳ２３において、信号処理部４は、記録媒体５から読み出した６コマのデータを表示回路６へ送るとともに、図８に示す再生表示を行うように表示回路６へ指令を送り、図４による処理を終了する。これにより、表示回路６は、４つの横長再生画像Ｈ１〜Ｈ４を並べて配列する表示を行う。図８において、記録媒体５から読み出した６コマのデータのうち２コマについては表示しない。横長再生画像Ｈ１〜Ｈ４は、横長画像である６コマのうち、たとえば、ファイル番号が小さい方のコマに対応する横長縮小画像である。
【００４０】
信号処理部４は、図８の再生表示をしている状態で操作部材３から次ページの表示を指示する操作信号が入力されると、残り２コマ分の横長縮小画像を再生表示するようにページ切換指令を表示回路６へ送る。これにより、表示回路６が次ページに横長縮小画像を表示する。
【００４１】
以上説明した実施形態によれば、次の作用効果が得られる。
（１）縮小画像表示を行う複数コマの画像に横長画像および縦長画像が混在するとき、画像データファイルに含まれる撮影時の姿勢情報に応じて、縦長再生画像（Ｖ１〜Ｖ６）を回転させる処理を行うようにした。したがって、カメラを縦位置に構えて撮影した画像を自動的に正しい向き正しい向きで表示させることができる。
【００４２】
（２）縮小画像表示を行う複数コマの画像に横長画像および縦長画像が混在するとき、回転処理後の縦長再生画像（Ｖ１〜Ｖ６）の縦辺の長さが回転処理が不要の横長再生画像（Ｈ１〜Ｈ４）の縦辺の長さに対応するように、縮小画像データを作成するようにした。したがって、ディスプレイ画面の表示領域において画像が表示されない無駄なスペース（図５〜図１１における黒色部分）を減らすことができる。
【００４３】
（３）縮小画像データの表示の大きさは、縮小画像表示を行う複数コマの画像における横長画像および縦長画像の混在比率が変わっても、縦長画像はＶ１〜Ｖ６で示す大きさで一定、横長画像はＨ１〜Ｈ４で示す大きさで一定にした。したがって、混在比率に応じて表示の大きさを変化させる場合に比べて、表示回路６による処理の負担を軽減することができる。
【００４４】
以上の説明では、記録媒体５から読み出した６コマのデータについて縮小画像を作成し、作成した縮小画像を姿勢情報に応じて配列し、複数コマの再生表示を行うようにした。表示コマ数は６コマに限らず、５コマでも１０コマでもよい。コマ数が多くて１画面に収まらない場合は、ページ切換によって２ページ目以降を表示させるようにすればよい。
【００４５】
縮小画像表示時の縮小画像を配列するとき、縦長画像を横長画像より優先して並べたが、横長画像を縦長画像より優先して並べるようにしてもよい。
【００４６】
上述した例では、ディスプレイ画面のアスペクト比および画像データのアスペクト比が横４：縦３であることを想定し、回転処理後の縦長再生画像を１画面に６コマ配列するように縮小画像の表示の大きさを決定した。アスペクト比が例示した内容と異なる場合には、ディスプレイの画面の表示領域の大きさに対応して配列コマ数および縮小画像の表示の大きさを適宜設定してよい。
【００４７】
画像再生表示を行うものとして電子スチルカメラの再生モードを例にあげて説明したが、ＰＤＡ（personal digital assistants）やプリンタ装置などの画像再生機能を有するものに対しても本発明を適用することができる。
【００４８】
また、本発明は、電子画像を閲覧するためのディスプレイ装置やスクリーンなどに電子画像を再生表示もしくは投射する画像再生装置にも適用できる。
【００４９】
さらに、図４に例示した処理を行う画像再生プログラムをパソコンなどに実行させることにより、画像再生装置を構成してもよい。
【００５０】
特許請求の範囲における各構成要素と、発明を実施するための最良の形態における各構成要素との対応について説明する。縮小画像生成手段、画像再生手段、画像回転手段は、たとえば、表示回路６によって構成される。画像再生領域は、たとえば、ディスプレイ画面が対応する。なお、本発明の特徴的な機能を損なわない限り、各構成要素は上記構成に限定されるものではない。
【図面の簡単な説明】
【００５１】
【図１】本発明の一実施の形態による電子スチルカメラの要部構成を説明するブロック図である。
【図２】姿勢情報が「正位置」の場合の再生画像の表示例を示す図である。
【図３】姿勢情報が「右上」もしくは「左上」の場合の再生画像の表示例を示す図である。
【図４】信号処理部で行われる処理の流れを示すフローチャートである。
【図５】再生表示例を示す図である。
【図６】再生表示例を示す図である。
【図７】再生表示例を示す図である。
【図８】再生表示例を示す図である。
【図９】再生表示例を示す図である。
【図１０】再生表示例を示す図である。
【図１１】再生表示例を示す図である。
【符号の説明】
【００５２】
１…撮像素子
２…姿勢センサ
３…操作部材
４…信号処理部
５…記録媒体
６…表示回路
【図１】
2005094114.tif 000003
【図２】
2005094114.tif 000004
【図３】
2005094114.tif 000005
【図４】
2005094114.tif 000006
【図５】
2005094114.tif 000007
【図６】
2005094114.tif 000008
【図７】
2005094114.tif 000009
【図８】
2005094114.tif 000010
【図９】
2005094114.tif 000011
【図１０】
2005094114.tif 000012
【図１１】
2005094114.tif 000013